(57)【要約】  本発明は、底壁および側壁ならびに容器開口部を持つ容器本体と、容器閉鎖体（１）とを備え、容器開口部を開閉するために、閉鎖体の本体への取外し可能な取付けを可能にするように前記本体および閉鎖体が対応する螺条（３）を備えた容器であって、容器本体が容器本体壁の外面に位置する少なくとも１つのカム状手段（４）を備え、閉鎖体が容器本体のカム状手段に対応する少なくとも１つの係合手段（５）を備え、上記係合手段が閉鎖体壁の内面に位置し、上記閉鎖体の上記容器本体への螺合操作中に、閉鎖された容器の気密性および／または液密性が確保されるように上記閉鎖体が本体に充分に係合されたときに、上記カム状手段および係合手段が可聴的に協働するように配置されることを特徴とする、容器に関する。【選択図】  図３
2010535136.tif 000002
【特許請求の範囲】
【請求項１】
底壁、側壁および開口部を画定する容器頚部（２）を持つ容器本体と、容器閉鎖体（１）とを備える容器であって、前記容器開口部を開閉すべく、前記閉鎖体（１）の前記頚部（２）への取外し可能な取付けを可能にするよう前記頚部（２）および閉鎖体（１）が対応する螺条（３）を備えた、前記容器において、
(i)前記容器本体が、容器本体壁の外面に配置された少なくとも１つのカム状手段（４）を備え、
(ii)前記閉鎖体（１）が、前記容器本体の前記カム状手段（４）に対応する少なくとも１つの係合手段（５）を備え、前記係合手段が閉鎖体壁の内面に配置され、前記閉鎖体（１）の前記容器頚部（２）への螺合操作中に、閉鎖された容器の気密性および／または液密性が確保されるように前記閉鎖体（１）が前記頚部（２）に充分に係合されたときに、前記カム状体（４）および係合（５）手段が可聴的に協働するように配置されている
ことを特徴とする容器。
【請求項２】
前記カム状手段（４）が前記容器本体の上縁から１０ｍｍ未満の位置にある、請求項１に記載の容器。
【請求項３】
前記カム状手段（４）が前記容器頚部（２）の螺条（３）に隣接して配置されている、請求項１に記載の容器。
【請求項４】
前記閉鎖体（１）の前記少なくとも１つの係合手段が少なくとも１つの可撓性舌片（５）である、請求項１〜３のいずれか一項に記載の容器。
【請求項５】
前記少なくとも１つの可撓性舌片（５）が前記閉鎖体（１）の内部頂壁（９）と内部側壁（１０）との間の縁（８）に隣接して配置されている、請求項４に記載の容器。
【請求項６】
前記可撓性舌片（５）が前記舌片の可撓性を高めるように欠刻部（１１）を含む、請求項５に記載の容器。
【請求項７】
前記カム状手段（４）が軟傾斜部（６）および急傾斜（７）部を含む、請求項１〜６のいずれか一項に記載の容器。
【発明の詳細な説明】
【技術分野】
【０００１】
本発明は容器に関し、特に保存および輸送のために正しく閉鎖されることを保証するシステムを備えた可食製品用の容器に関するが、それに限定されない。
【背景技術】
【０００２】
可食製品を保存および小出し用の容器にパックする場合、容器が最初に開封された後、製品の鮮度も保証されるように容器が正しく再閉鎖されることを保証することが不可欠である。
【０００３】
容器が正しく、すなわち完全に閉鎖されたときに消費者に知らせるために、種々のパッケージ閉鎖システムが開発された。そのようなシステムとして、上記閉鎖体が容器頚部に充分に螺合されたときに閉鎖体が抵抗点を生じる感応システムが挙げられる。この抵抗点は、螺合操作中に閉鎖体が「ロック」位置に着いたという知らせを消費者に与える。
【０００４】
そのような閉鎖システムは、閉鎖体が充分に頚部に螺合されたときに相互に接触する閉鎖体および容器頚部の対応する突起またはエンボス部を備え、両者間の接触が閉鎖体の螺合または螺脱回動を一時的に難しくするようになっている。
【０００５】
しかし、そのようなシステムは、製品の鮮度が保証されるという確約を消費者に与えるように、包装容器に対しより明白な合図を要求する消費者にとっては充分に効率的ではないことが明らかになっている。それだけでなく、一部の消費者は、彼らが感じる抵抗点を閉鎖体が完全に螺着したという印であると誤って信じているため、閉鎖体が正しく螺合される前であっても閉鎖体を螺合回動することを停止する。そのような場合、容器は当然のことながら正しく閉鎖されていないので、そのような誤信は製品の鮮度にとって実に脅威である。
【発明の概要】
【課題を解決するための手段】
【０００６】
公知の容器の上記不利点を是正するために、本発明は、開口部を画定する容器頚部および容器閉鎖体であって、容器開口部を開閉するために閉鎖体の頚部への取外し可能な取付けを可能にするように対応する螺条を備えた上記頚部および閉鎖体において、
(i)容器本体が、容器本体壁の外面に位置する少なくとも１つのカム状手段を備え、および
(ii)閉鎖体が、容器本体のカム状手段に対応する少なくとも１つの係合手段を備え、上記係合手段が閉鎖体壁の内面に位置し、上記閉鎖体の上記容器頚部への螺合操作中に、閉鎖された容器の気密性および／または液密性が確保されるように上記閉鎖体が頚部に充分に係合されたときに、上記カム状体および係合手段が可聴的に協働するように配置される
ことを特徴とする容器頚部および容器閉鎖体を提供する。
【０００７】
カム状手段は、容器本体の上縁から１０ｍｍ未満の位置にあることが好ましい。
【０００８】
代替的に、カム状手段は容器頚部の螺条に隣接して位置するか、あるいは直接容器頚部の螺条の一部分とすることさえも可能である。
【０００９】
本発明の非常に好ましい実施形態では、閉鎖体の上記少なくとも１つの係合手段は、少なくとも１つの可撓性舌片である。
【００１０】
その場合、上記少なくとも１つの可撓性舌片は、閉鎖体の内部頂壁と内部側壁との間の縁に隣接して位置することが有利である。
【００１１】
さらに、上記可撓性舌片は舌片の可撓性を高めるために欠刻部を含むことができる。
【００１２】
最後に、上記カム状手段および閉鎖体の係合手段の相対的運動を容易にするために、カム状手段は軟傾斜部および急傾斜部を備えることが好ましい。しかしカム状要素の両方の傾斜は、特に容器頚部がガラスで作られる場合、製造工程の限界に適合するように急勾配にすることができる。
【００１３】
本発明の追加の特徴および利点は、以下で図面を参照しながら説明する現在の好ましい実施形態の説明に記載ることによって明らかになる。
【図面の簡単な説明】
【００１４】
【図１】裏返しに配置された閉鎖体の斜視図である。
【図２】閉鎖体を透過的に示す、図１と同様の図である。
【図３】閉鎖体が容器頚部に螺合された状態の拡大部分斜視図である。
【発明を実施するための形態】
【００１５】
本発明は、図面に示す通り、容器本体および容器閉鎖体１を備えた容器（図面には完全には示されていない）に関する。図から分かるように、図面は基本的に容器の部分図を表す。
【００１６】
容器本体は、底壁および側壁、ならびに開口部を画定する容器頚部２を備える。容器頚部２および閉鎖体１は、容器開口部を開閉するために、閉鎖体１の本体への取外し可能な取付けを可能にするように対応する螺条３をも備える。
【００１７】
本発明によると、容器本体は、容器本体壁の外面に位置する少なくとも１つのカム状手段４を備え、閉鎖体１は、容器本体のカム状手段４に対応する少なくとも１つの係合手段５を備える。
【００１８】
図３に示す通り、係合手段５は閉鎖体壁の内面に位置し、閉鎖体１の容器頚部２への螺合操作中に、閉鎖された容器の気密性および／または液密性が確保されるように上記閉鎖体が頚部に充分に係合されたときに、上記カム状体４および係合５手段が可聴的に協働するように配置される。
【００１９】
図３から分かるように、カム状手段４は容器本体の上縁に隣接して位置する。上記カム状手段４および閉鎖体１の係合手段５の相対的運動を容易にするために、カム状手段は軟傾斜部６および急傾斜部７を含む。
【００２０】
さらに、図１、２、および３から分かるように、閉鎖体１の係合手段は４つの可撓性舌片５から作られる。
【００２１】
４つの可撓性舌片５は、相互に４５度の角度で間隔を置いて、閉鎖体１の内部頂壁９と内部側壁１０との間の縁８に隣接して位置する。
【００２２】
さらに、各々の上記可撓性舌片５は、例えば図１に示すように、舌片の可撓性を高めるために欠刻部１１を含む。
【００２３】
本発明の効率、および得られる音の優れた品質は特に、閉鎖体１の頚部２への螺合中に各可撓性舌片がカム状手段４の軟傾斜６を通過するときに撓む、各可撓性舌片５の可撓性によるものである。この段階で、軟傾斜のため、閉鎖体を頚部に螺合回動させることへの機械的抵抗は低く、したがって消費者が螺合回動への抵抗と混同して、閉鎖体が完全に螺合したと誤って思う危険性は低い。
【００２４】
機械工学では、撓みとは、構造要素（ここでは各可撓性舌片）が、荷重下で（ここで荷重は容器頚部のカム状手段を介して、消費者から螺回力によって直接加えられる）偏位する程度を記述するのに使用される用語である。
【００２５】
消費者によって加えられる荷重下での各可撓性舌片の撓みは、その荷重下での舌片の撓んだ形状の傾斜に直接関係し、加えられた荷重下での舌片の傾斜を数学的に記述する関数を積分することによって計算することができる。
【００２６】
静止状態の可撓性舌片の位置と比較した弾性撓みｆおよび撓み角φ（ラジアン単位）は、（可撓性舌片の自由端で）次式を用いて計算することができる。
ｆ＝Ｆ×Ｌ３／（３×Ｅ×Ｉ）
ψ＝Ｆ×Ｌ２／（２×Ｅ×Ｉ）
式中、
Ｆ＝ビームの先端に作用する力
Ｌ＝ビームの長さ（スパン）
Ｅ＝弾性率
Ｉ＝断面慣性モーメント
【００２７】
スパンに沿った任意の点における撓みは、上記の方法を用いて計算することができる。
【００２８】
この式から、スパンＬは最も明確な要素であるということになる。スパンが倍になると、撓みは８倍に増加する。
【００２９】
可撓性舌片５の自由端がカム状手段４を通り抜けると、カム状手段の急勾配の第２傾斜部のため、舌片は突然解放され、振動を開始する。閉鎖体の各可撓性舌片によって構成されるブレードの振動は周囲の空気を振動させ、音を発生させる。本発明の分野では、各可撓性舌片の長さが非常に短く、かつ使用される熱可塑性プラスチックの性質のために、各舌片の振動周波数は非常に高く、「カチリ」というような短い音を発生させる。これは充分に可聴であり、容器の中身の鮮度を保護するように閉鎖体が正しくかつ完全に螺合されたことを消費者に知らせるのに充分である。
【００３０】
本明細書に記載する現在の好ましい実施形態の様々な変化および変形が当業者には明白であることを理解されたい。そのような変化および変形は、本発明の精神および範囲から逸脱することなく、かつそれに付随する利点を損なうことなく、行なうことができる。したがって、添付する特許請求の範囲はそのような変化および変形を包含することが意図されている。
【図１】
2010535136.tif 000003
【図２】
2010535136.tif 000004
【図３】
2010535136.tif 000005
【国際調査報告】
2010535136.tif 000006
2010535136.tif 000007